(57)【特許請求の範囲】
【請求項１】
３次元映像モードの場合、データフレーム毎にブラックデータフレームを挿入し、データフレームとブラックデータフレームを交互に出力する表示装置において、
複数の画素部を含む表示パネルと、
反転方式によって、データ電圧が次の次のフレームのデータ電圧の極性と基準電圧に対して同一な極性の第１フレームで前記画素部に前記基準電圧と第１電位差を有する第１データ電圧を出力し、データ電圧が次の次のフレームのデータ電圧の極性と基準電圧に対して反転した極性の第２フレームで前記画素部に前記基準電圧と前記第１電位差より小さい第２電位差を有する第２データ電圧を出力するパネル駆動部と、を備え、
前記画素部は、
第１サブ領域に形成され、第１スイッチング素子を通じてデータ配線及び第ｎゲート配線（ｎは自然数）に接続された第１液晶キャパシタと、
第２サブ領域に形成され、第２スイッチング素子を通じて前記データ配線及び前記第ｎゲート配線に接続された第２液晶キャパシタと、
前記第２液晶キャパシタ及び第ｎ＋１ゲート配線に接続され、第３スイッチング素子を通じて前記第２液晶キャパシタに印加される電圧を分割するダウンキャパシタと、を含むことを特徴とする表示装置。
【請求項２】
前記第１フレームのデータを第１補償データで生成し、前記第２フレームのデータを前記第１補償データによる前記画素部の透過率と同一な透過率を有する第２補償データで生成するデータ補償部を更に含み、
前記パネル駆動部は、前記第１補償データを前記第１データ電圧に変換し、前記第２補償データを前記第２データ電圧に変換して前記データ配線に出力することを特徴とする請求項１に記載の表示装置。
【請求項３】
前記データ補償部は、
前記第１補償データを生成する第１ルックアップテーブルと、
前記第２補償データを生成する第２ルックアップテーブルと、を含むことを特徴とする請求項２に記載の表示装置。
【請求項４】
前記データ補償部は、
前記第１補償データを生成するルックアップテーブルと、
前記第１補償データを用いて前記第２補償データを生成する演算部と、を含むことを特徴とする請求項２に記載の表示装置。
【請求項５】
前記パネル駆動部は、前記第１フレームで左眼用データ電圧を前記表示パネルに出力し、前記第２フレームで右眼用データ電圧を前記表示パネルに出力することを特徴とする請求項１に記載の表示装置。
【請求項６】
３次元映像モードの場合、データフレーム毎にブラックデータフレームを挿入し、データフレームとブラックデータフレームを交互に出力する表示装置において、
複数の画素部を含む表示パネルと、
複数の左眼用データフレーム及び複数の右眼用データフレームを生成する映像処理部と、
前記複数の左眼用フレーム及び前記複数の右眼用フレームで、前の前のフレームのデータ電圧の極性と同一な極性のデータ電圧を有するフレームの個数及び前の前のフレームのデータ電圧の極性と基準電圧に対して反転した極性のデータ電圧を有するフレームの個数が共に同一な反転信号を生成するタイミング制御部と、
前記反転信号に基づき前記左眼用データフレーム及び前記右眼用データフレームを前記基準電圧に対して負極性及び正極性のデータ電圧に変換して前記表示パネルに出力するデータ駆動部と、を備えることを特徴とする表示装置。
【請求項７】
各画素部は、
前記画素部の第１サブ領域に形成され、第１スイッチング素子を通じてデータ配線及び第ｎゲート配線（ｎは自然数）に接続された第１液晶キャパシタと、
前記画素部の第２サブ領域に形成され、第２スイッチング素子を通じて前記データ配線及び前記第ｎゲート配線に接続された第２液晶キャパシタと、
前記第２液晶キャパシタ及び第ｎ＋１ゲート配線に接続され、第３スイッチング素子を通じて前記第２液晶キャパシタに印加される電圧を分割するダウンキャパシタと、を含むことを特徴とする請求項６に記載の表示装置。
【請求項８】
前記表示パネルが（６０Ｈｚ×Ｉ）（Ｉは４以上の自然数）フレーム周波数で駆動される場合、前記反転信号は、最初のＩフレームの間でローレベル、次のＩフレームの間でハイレバル、次の２フレームの間でローレベル、次のＩフレームの間でハイレバル、次のＩフレームの間でローレベル、及び次の２フレームの間でハイレバルを有することを特徴とする請求項７に記載の表示装置。
【請求項９】
前記反転信号の周期は［（４×Ｉ）＋４］フレームであることを特徴とする請求項８に記載の表示装置。
【発明の詳細な説明】
【技術分野】
【０００１】
本発明は、表示装置に関し、より詳細には、３次元映像品質を向上させるための表示パネルを駆動する表示装置に関する。
【背景技術】
【０００２】
一般的に、液晶表示装置は２次元平面映像を表示する。最近は、ゲーム、映画などのような分野において、３次元立体映像に対する需要の増加に伴い、液晶表示装置を用いて３次元立体映像を表示している。
【０００３】
一般的に、立体映像は人の二つの目を通した両眼視差（ｂｉｎｏｃｕｌａｒ  ｐａｒａｌｌａｘ）の原理を用いて立体映像を表示する。例えば、人の二つの目は一定程度離れて存在するものなので、それぞれの目で異なる角度から観察した映像が脳に入力されて立体的に見える。立体映像表示装置は人のこのような両眼視差を利用する。
【０００４】
両眼視差を利用する方式では、眼鏡方式（ｓｔｅｒｅｏｓｃｏｐｉｃ）と非眼鏡方式（ａｕｔｏｓｔｅｒｅｏｓｃｏｐｉｃ）がある。眼鏡方式には、両眼にそれぞれ青色と赤色の色眼鏡をかけるアナグリフ（ａｎａｇｌｙｐｈ）方式と、時間分割されて左眼映像と右眼映像とを周期的に表示し、この周期に同期した左眼シャッタと右眼シャッタとを開閉する眼鏡をかけるシャッタ眼鏡（Ｓｈｕｔｔｅｒ  Ｇｌａｓｓ）方式などがある。
【０００５】
一般的に、液晶表示装置には残像特性を改善するための方案として反転方式が採用されている。反転方式にはドット単位の反転方式とフレーム単位の反転方式などがある。シャッタ眼鏡方式は、左眼映像と右眼映像とが時分割駆動されることによって、フレーム反転方式によりデータ電圧の極性変化によって左眼映像と右眼映像との間の輝度差が発生する問題点がある。
【先行技術文献】
【特許文献】
【０００６】
【特許文献１】特許第２８４００１２号公報
【特許文献２】特許第４３７６７６４号公報
【特許文献３】特開２００９−０７５３９２号公報
【特許文献４】米国特許出願公開２００９／０１４６９１４号明細書
【発明の概要】
【発明が解決しようとする課題】
【０００７】
本発明は、上記従来の問題点に鑑みてなされたものであって、本発明の目的は、左眼映像と右眼映像との輝度差異を改善するための表示パネルを駆動する表示装置を提供することにある。
【課題を解決するための手段】
【０００８】
上記目的を達成するためになされた本発明の一特徴による表示装置は、表示パネル及びパネル駆動部を含む。前記表示パネルは複数の画素部を含む。前記パネル駆動部は、データ電圧が次の次のフレームのデータ電圧の極性と基準電圧に対して同一な極性の第１フレームで、表示パネルの画素部に前記基準電圧と第１電位差を有する第１データ電圧を出力し、データ電圧が次の次のフレームのデータ電圧の極性と基準電圧に対して反転した極性の第２フレームで、前記画素部に前記基準電圧と前記第１電位差より小さい第２電位差を有する第２データ電圧を出力し、前記画素部は、第１サブ領域に形成され、第１スイッチング素子を通じてデータ配線及び第ｎゲート配線（ｎは自然数）に接続された第１液晶キャパシタと、第２サブ領域に形成され、第２スイッチング素子を通じて前記データ配線及び前記第ｎゲート配線に接続された第２液晶キャパシタと、前記第２液晶キャパシタ及び第ｎ＋１ゲート配線に接続され、第３スイッチング素子を通じて前記第２液晶キャパシタに印加される電圧を分割するダウンキャパシタと、を含む。
【０００９】
上記目的を達成するためになされた本発明の他の特徴による表示装置は、表示パネル、映像処理部、タイミング制御部、及びデータ駆動部を含む。前記表示パネルは画素部を含む。前記映像処理部は複数の左眼用データフレーム及び複数の右眼用データフレームを生成する。前記タイミング制御部は、前記複数の左眼用フレーム及び前記複数の右眼用フレームで、前の前のフレームのデータ電圧の極性と同一な極性のデータ電圧を有するフレームの個数及び前の前のフレームのデータ電圧の極性と基準電圧に対して反転した極性のデータ電圧を有するフレームの個数が共に同一な反転信号を生成する。前記データ駆動部は前記反転信号に基づき前記左眼用データフレーム及び前記右眼用データフレームを前記基準電圧に対して負極性及び正極性のデータ電圧に変換して前記表示パネルに出力する。
【発明の効果】
【００１０】
本発明の表示装置によれば、データ電圧の極性反転方式によるダウンキャパシタのシェアリング電圧を考慮し、左眼用データ及び右眼用データを補償することによって、左眼用映像と右眼用映像との輝度偏差を改善することができる。また、反転信号を変更して左眼用映像と右眼用映像との輝度偏差を均一にして表示品質を向上させることができる。
【図面の簡単な説明】
【００１１】
【図１】本発明の一実施形態による表示装置のブロック図である。
【図２】図１に示した表示パネルの画素部の等価回路図である。
【図３】図１の表示装置によるデータ処理方法の一例を説明するためのフローチャートである。
【図４】図３のデータ処理方法による３次元映像モードの際の入出力信号のタイミング図である。
【図５】図３のデータ処理方法による２次元映像モードの際の入出力信号のタイミング図である。
【図６】３次元映像モードの際の図２に示した画素部の動作を説明するための波形図である。
【図７】３次元映像モードの際の図２に示した画素部の動作を説明するための波形図である。
【図８】本発明の他の実施形態によるデータ補償部のブロック図である。
【図９】本発明の他の実施形態による表示装置のブロック図である。
【図１０】図９の表示装置でデータ電圧の極性変化による画素部の動作を説明するための波形図である。
【図１１】図９の表示装置でデータ電圧の極性変化による画素部の動作を説明するための波形図である。
【図１２】図９の表示装置による３次元映像モードの際の入出力信号のタイミング図である。
【発明を実施するための形態】
【００１２】
以下、本発明の表示装置を実施するための形態の具体例を、図面を参照しながらより詳細に説明する。
【００１３】
図１は、本発明の一実施形態による表示装置のブロック図であり、図２は、図１に示した表示パネルの等価回路図である。
【００１４】
図１及び図２を参照すると、表示装置は、表示パネル１００、映像処理部２００、データ補償部４１０、タイミング制御部３００、パネル駆動部５００、及びシャッタメガネ６００を含む。
【００１５】
表示パネル１００は、複数の画素部を定義する複数の画素領域を含む。図２を参照すると、各画素部Ｐは、第１スイッチング素子ＴＲ１、第１液晶キャパシタＣＬＣ１及び第１ストレージキャパシタＣＳＴ１、第２スイッチング素子ＴＲ２、第２液晶キャパシタＣＬＣ２及び第２ストレージキャパシタＣＳＴ２、第３スイッチング素子ＴＲ３及びダウンキャパシタＣｄを含む。画素部Ｐの画素領域は、第１液晶キャパシタが形成される領域に対応した第１サブ領域ＳＰ１と、第２液晶キャパシタが形成される領域に対応した第２サブ領域ＳＰ２からなる。
【００１６】
第１スイッチング素子ＴＲ１は、第ｎゲート配線ＧＬｎ（ｎは自然数）、データ配線ＤＬ、及び第１液晶キャパシタＣＬＣ１の第１サブ電極ＳＥ１に接続される。第２スイッチング素子ＴＲ２は、第ｎゲート配線ＧＬｎ、データ配線ＤＬ、及び第２液晶キャパシタＣＬＣ２の第２サブ電極ＳＥ２に接続される。第３スイッチング素子ＴＲ３は、第ｎ＋１ゲート配線ＧＬｎ＋１、第２液晶キャパシタＣＬＣ２の第２サブ電極ＳＥ２、及びダウンキャパシタＣｄの第１電極Ｅ１に接続される。
【００１７】
あるフレームで、第ｎゲート配線ＧＬｎにハイレベルの第ｎゲート信号Ｇｎが受信される第ｎ区間で、第１及び第２スイッチング素子ＴＲ１、ＴＲ２は、ターン−オンされ、データ配線ＤＬに印加されたデータ電圧を第１液晶キャパシタＣＬＣ１の第１サブ電極及び第２液晶キャパシタＣＬＣ２の第２サブ電極に印加する。次に、第ｎ＋１ゲート配線ＧＬｎ＋１にハイレベルの第ｎ＋１ゲート信号Ｇｎ＋１が受信される第ｎ＋１区間で、第３スイッチング素子ＴＲ３は、ターン−オンされ、第２液晶キャパシタＣＬＣ２の第２サブ電極に印加されたデータ電圧をダウンキャパシタＣｄによって一部分シェアリングする。これにより、第１液晶キャパシタＣＬＣ１にはデータ電圧が印加され、第２液晶キャパシタＣＬＣ２にはデータ電圧より低い分割電圧が印加される。従って、画素部Ｐの第１サブ領域ＳＰ１は相対的に高輝度で駆動され、第２サブ領域ＳＰ２は相対的に低輝度で駆動される。
【００１８】
映像処理部２００は、受信したデータを用いて複数のデータフレームを生成する。例えば、２４０Ｈｚの３次元映像モードの場合、映像処理部２００は、受信したデータを左眼データと右眼データに分離し、分離した左眼及び右眼データのそれぞれを表示パネル１００の解像度でスケーリングして左眼用データフレーム及び右眼用データフレームを生成し、左眼用及び右眼用データフレームのそれぞれを反復して出力する。２４０Ｈｚの２次元映像モードの場合、映像処理部２００は、現在の受信したデータフレームと次に受信されるデータフレームとを基に動きを推定及び補間方式を用いて補間データフレームを生成し、現在の受信したデータフレームを反復して第１及び第２データフレームを生成し、補間データフレームを反復して第１及び第２補間データフレームを生成する。
【００１９】
タイミング制御部３００は、映像処理部２００から提供された複数のデータフレームをデータ補償部４１０に提供する。３次元映像モードの場合、タイミング制御部３００は、左眼用データフレームと右眼用データフレームとの間に左眼用ブラックデータフレームを挿入し、右眼用データフレームと左眼用フレームデータとの間に右眼用ブラックデータフレームを挿入する。２次元映像モードの場合、タイミング制御部３００は、映像処理部２００で生成された複数のデータフレームをデータ補償部４１０にそのまま提供する。
【００２０】
また、タイミング制御部３００は、データ補償部４１０及びパネル駆動部５００のそれぞれに制御信号を提供する。タイミング制御部３００は、データ補償部４１０に第１及び第２ルックアップデーブル４１３、４１５のうちの一つを選択するための選択信号ＳＥＬを提供する。３次元映像モードの場合、第１選択信号ＳＥＬ１はハイレベル及びローレベルを含み、２次元映像モードの場合、第２選択信号ＳＥＬ２はハイレベル又はローレベルを含む。タイミング制御部３００は、パネル駆動部５００に反転信号ＲＥＶを提供する。反転信号ＲＥＶは、データ配線に出力されるデータ電圧の極性を、設定されたフレーム単位で基準電圧Ｖｃｏｍに対して反転させる。
【００２１】
データ補償部４１０は、温度に対するイメージ歪曲を最小化するために前のフレームのデータを用いて現在のフレームのデータを補償して液晶の応答速度を改善する。これをＤＣＣ（Ｄｙｎａｍｉｃ  Ｃａｐａｃｉｔａｎｃｅ  Ｃｏｍｐｅｎｓａｔｉｏｎ）と称する。例えば、ＤＣＣ技術は、現在のフレームのデータ階調が前のフレームのデータ階調に比べて急激に大きい場合、現在のフレームのデータ階調を本来の現在のフレームのデータ階調より高階調でオーバーシュート（Ｏｖｅｒ−ｓｈｏｏｔ）させて液晶のライジング（Ｒｉｓｉｎｇ）応答速度を向上させ、反面、現在のフレームのデータ階調が前のフレームのデータ階調に比べて急激に小さい場合、現在のフレームのデータ階調を本来の現在のフレームのデータ階調より低階調でダウンシュート（Ｄｏｗｎ−ｓｈｏｏｔ）させて液晶のフォーリング（Ｆａｌｌｉｎｇ）応答速度を向上させる。
【００２２】
本実施形態によるデータ補償部４１０は、メモリ４１１、第１ルックアップテーブル４１３及び第２ルックアップテーブル４１５を含む。メモリ４１１はデータを保存する。第１ルックアップテーブル４１３には、現在のフレームで受信したデータと前のフレームのデータにマッピングされた第１補償データが保存される。第２ルックアップテーブル４１５には、現在のフレームで受信したデータと前のフレームのデータにマッピングされた第２補償データが保存される。データ補償部４１０は、タイミング制御部３００から提供された選択信号のレベルに基づいて第１ルックアップテーブル４１３又は第２ルックアップテーブル４１５を選択する。第１ルックアップテーブル４１３にはノーマルな第１補償データが保存され、第２ルックアップテーブル４１５には第１補償データによる画素部Ｐの透過率と同一な透過率を有する第２補償データが保存される。
【００２３】
例えば、３次元映像モードの際、データ補償部４１０は、ハイレベルの第１選択信号ＳＥＬ１が受信されると、第１ルックアップテーブル４１３を用いて第１補償データを生成し、ローレベルの第１選択信号ＳＥＬ１が受信されると、第２ルックアップテーブル４１５を用いて第２補償データを生成する。また、２次元映像モードの際、データ補償部４１０は、ハイレベルの第２選択信号ＳＥＬ２に応答し、第１ルックアップテーブル４１３を用いて第１補償データを生成する。
【００２４】
第２ルックアップテーブルには、３次元映像モードの際、左眼映像と右眼映像との輝度差を改善するための第２補償データが保存される。第２補償データについては詳細に後述する。
【００２５】
パネル駆動部５００は、データ駆動部５１０及びゲート駆動部５３０を含む。データ駆動部５１０は、表示パネル１００のデータ配線に提供されるデータ電圧を出力する。ゲート駆動部５３０は、表示パネル１００のゲート配線に提供されるゲート信号を出力する。データ駆動部５１０は、タイミング制御部３００から提供された反転信号ＲＥＶに基づいて、データ補償部４１０に提供された補償データに対応して基準電圧Ｖｃｏｍに対して正極性のデータ電圧又は負極性のデータ電圧を生成する。
【００２６】
例えば、タイミング制御部３００は、４フレーム単位でハイレベルとローレベルを反復する反転信号ＲＥＶをデータ駆動部５１０に提供し、データ駆動部５１０は、反転信号ＲＥＶに応答して４フレーム単位で反転した極性のデータ電圧を出力する。
【００２７】
シャッタメガネ６００は、３次元映像モードの際に用いられる。シャッタメガネ６００は、表示パネル１００に左眼映像が表示される区間に開いて、右眼映像が表示される区間に閉じられる左眼液晶シャッタと、表示パネル１００に右眼映像が表示される区間に開いて、左眼映像が表示される区間に閉じられる右眼液晶シャッタを含む。シャッタメガネ６００は、一般的に６０Ｈｚで駆動される。
【００２８】
図３は、図１の表示装置によるデータ処理方法の一例を説明するためのフローチャートであり、図４は、図３のデータ処理方法による３次元映像モードの際の入出力信号のタイミング図であり、図５は、図３のデータ処理方法による２次元映像モードの際の入出力信号のタイミング図である。
【００２９】
図１、図３及び図４を参照すると、３次元映像モードで、映像処理部２００は、左眼用データフレーム、左眼用ブラックデータフレーム、右眼用データフレーム、及び右眼用ブラックデータフレームを順次に反復して出力する。
【００３０】
タイミング制御部３００は、第１選択信号ＳＥＬ１を生成してデータ補償部４１０を制御する（段階Ｓ１１０）。第１選択信号ＳＥＬ１は、第Ｎ及び第Ｎ＋１フレームＦＮ、ＦＮ＋１の間でハイレベルＨＶであり、第Ｎ＋２及び第Ｎ＋３フレームＦＮ＋２、ＦＮ＋３の間でローレベルＬＶであり、第Ｎ＋４及び第Ｎ＋５フレームＦＮ＋４、ＦＮ＋５の間でハイレベルＨＶであり、第Ｎ＋６及び第Ｎ＋７フレームＦＮ＋６、ＦＮ＋７の間でローレベルＬＶである。第１選択信号ＳＥＬ１は、２フレーム単位でハイレベルＨＶとローレベルＬＶとを交代で反復する４フレーム周期を有する。
【００３１】
データ補償部４１０は、タイミング制御部３００から、左眼用データフレーム、左眼用ブラックデータフレーム、右眼用データフレーム、及び右眼用ブラックデータフレームを順次に受信する。
【００３２】
データ補償部４１０は、第ＮフレームＦＮで左眼用データフレームの左眼用データが受信されると、第１選択信号ＳＥＬ１のハイレベルＨＶに応答し、第１ルックアップテーブル４１３を通じて左眼用第１補償データを生成する（段階Ｓ１２０）。左眼用第１補償データは、メモリ４１１に保存された前のフレームである第Ｎ−１フレームＦＮ−１の右眼用ブラックデータと現在のフレームである第ＮフレームＦＮで受信した左眼用データに対応して第１ルックアップテーブル４１３にマッピングされたデータである。
【００３３】
データ補償部４１０は、第Ｎ＋１フレームＦＮ＋１で左眼用ブラックデータフレームに含まれる左眼用ブラックデータが受信されると、第１選択信号ＳＥＬ１のハイレベルＨＶに応答し、第１ルックアップテーブル４１３を用いて左眼用第１ブラックデータを生成する（段階Ｓ１２０）。左眼用第１ブラックデータは、メモリ４１１に保存された第ＮフレームＦＮの左眼用データと第Ｎ＋１フレームＦＮ＋１の左眼用ブラックデータに対応して第１ルックアップテーブル４１３にマッピングされたデータである。
【００３４】
データ補償部４１０は、第Ｎ＋２フレームＦＮ＋２で右眼用データフレームの右眼用データが受信されると、第１選択信号ＳＥＬ１のローレベルＬＶに応答し、第２ルックアップテーブル４１５を用いて右眼用第２補償データを生成する（段階Ｓ１２０）。右眼用第２補償データは、メモリ４１１に保存された前のフレームである第Ｎ＋１フレームＦＮ＋１の左眼用ブラックデータと現在のフレームである第Ｎ＋２フレームＦＮ＋２で受信した右眼用データに対応して第２ルックアップテーブル４１５にマッピングされたデータである。
【００３５】
データ補償部４１０は、第Ｎ＋３フレームＦＮ＋３で右眼用ブラックデータフレームの右眼用ブラックデータが受信されると、第１選択信号ＳＥＬ１のローレベルＬＶに応答し、第２ルックアップテーブル４１５を用いて右眼用第２ブラックデータを生成する（段階Ｓ１２０）。右眼用第２ブラックデータは、メモリ４１１に保存された第Ｎ＋２フレームＦＮ＋２の右眼用データと第Ｎ＋３フレームＦＮ＋３の右眼用ブラックデータに対応して第２ルックアップテーブル４１５にマッピングされたデータである。
【００３６】
同一の方式で、データ補償部４１０は、第Ｎ＋４、第Ｎ＋５、第Ｎ＋６、及び第Ｎ＋７フレームＦＮ＋４、ＦＮ＋５、ＦＮ＋６、ＦＮ＋７の間、左眼用第１補償データ、左眼用第１ブラックデータ、右眼用第２補償データ、右眼用第２ブラックデータを生成する。データ補償部４１０は、第２ルックアップテーブル４１５を通じて、左眼用第１補償データに比べて相対的に低階調の右眼用第２補償データを生成する。これにより、後述するフレーム反転方式によって、左眼用第１補償データに対する左眼用映像と右眼用第２補償データに対する右眼用映像の輝度を均一にする。
【００３７】
タイミング制御部３００は、反転信号ＲＥＶをデータ駆動部５１０に提供してデータ駆動部５１０の出力信号の極性を制御する。反転信号ＲＥＶは、第Ｎ、第Ｎ＋１、第Ｎ＋２、及び第Ｎ＋３フレームＦＮ、ＦＮ＋１、ＦＮ＋２、ＦＮ＋３の間でハイレベルＨＶであり、第Ｎ＋４、第Ｎ＋５、第Ｎ＋６、及び第Ｎ＋７フレームＦＮ＋４、ＦＮ＋５、ＦＮ＋６、ＦＮ＋７の間でローレベルＬＶである。反転信号ＲＥＶは８フレーム周期を有する。
【００３８】
データ駆動部５１０は、反転信号ＲＥＶのハイレベルＨＶに基づいて、第Ｎ、第Ｎ＋１、第Ｎ＋２、及び第Ｎ＋３フレームＦＮ、ＦＮ＋１、ＦＮ＋２、ＦＮ＋３の間で基準電圧Ｖｃｏｍに対して正極性のデータ電圧を出力する。即ち、データ駆動部５１０は、第ＮフレームＦＮで第１補償データを正極性の第１データ電圧＋ＤＶ１に変換して出力し、第Ｎ＋１フレームＦＮ＋１で第１補償ブラックデータをブラックデータ電圧ＢＤＶに変換して出力し、第Ｎ＋２フレームＦＮ＋２で第２補償データを正極性の第２データ電圧＋ＤＶ２に変換して出力し、第Ｎ＋３フレームＦＮ＋３で第２補償ブラックデータをブラックデータ電圧ＢＤＶに変換して出力する。
【００３９】
同一の方式で、データ駆動部５１０は、反転信号ＲＥＶのローレベルＬＶに基づいて、第Ｎ＋４、第Ｎ＋５、第Ｎ＋６、及び第Ｎ＋７フレームＦＮ＋４、ＦＮ＋５、ＦＮ＋６、ＦＮ＋７の間で基準電圧Ｖｃｏｍに対して負極性の第１データ電圧−ＤＶ、ブラックデータ電圧ＢＤＶ、負極性の第２データ電圧−ＤＶ２、及びブラックデータ電圧ＢＤＶに変換して出力する（段階Ｓ４１０）。
【００４０】
図１、図３及び図５を参照すると、２次元映像モードの場合、タイミング制御部３００は、ハイレベルの第２選択信号ＳＥＬ２を生成してデータ補償部４１０に提供する（段階Ｓ２１０）。データ補償部４１０は、第２選択信号ＳＥＬ２に応答し、第１ルックアップテーブル４１３を用いて、受信したデータに対応する補償データを生成する。
【００４１】
２次元映像モードに対応して、データ補償部４１０は、タイミング制御部３００から、第１データフレーム、第２データフレーム、第１補間データフレーム、及び第２補間データフレーム順次に受信する。
【００４２】
データ補償部４１０は、第ＮフレームＦＮで第１データフレームのデータが受信されると、第２選択信号ＳＥＬ２のハイレベルＨＶに応答し、第１ルックアップテーブル４１３を用いて第１補償データを生成する（段階Ｓ２２０）。第１補償データは、メモリ４１１に保存された前のフレームである第Ｎ−１フレームＦＮ−１のデータと現在のフレームである第ＮフレームＦＮで受信したデータに対応して第１ルックアップテーブル４１３にマッピングされたデータである。
【００４３】
同一の方式で、データ補償部４１０は、２次元映像モードでハイレベルＨＶの第２選択信号ＳＥＬ２に応答し、第１ルックアップテーブル４１３を用いて、受信したデータの第１補償データを生成して出力する（段階Ｓ２２０）。
【００４４】
タイミング制御部３００は、反転信号ＲＥＶをデータ駆動部５１０に提供してデータ駆動部５１０の出力信号の極性を制御する。反転信号ＲＥＶは、第Ｎ、第Ｎ＋１、第Ｎ＋２、及び第Ｎ＋３フレームＦＮ、ＦＮ＋１、ＦＮ＋２、ＦＮ＋３の間でハイレベルＨＶであり、第Ｎ＋４、第Ｎ＋５、第Ｎ＋６、及び第Ｎ＋７フレームＦＮ＋４、ＦＮ＋５、ＦＮ＋６、ＦＮ＋７の間でローレベルＬＶである。このように、反転信号ＲＥＶが８フレーム周期を有する場合を例として説明する。
【００４５】
データ駆動部５１０は、第Ｎ、第Ｎ＋１、第Ｎ＋２、及び第Ｎ＋３フレームＦＮ、ＦＮ＋１、ＦＮ＋２、ＦＮ＋３の間で反転信号ＲＥＶのハイレベルＨＶに応答して基準電圧Ｖｃｏｍに対して正極性（＋）のデータ電圧を出力し、第Ｎ＋４、第Ｎ＋５、第Ｎ＋６、及び第Ｎ＋７フレームＦＮ＋４、ＦＮ＋５、ＦＮ＋６、ＦＮ＋７の間で反転信号ＲＥＶのローレベルＬＶに応答して基準電圧Ｖｃｏｍに対して負極性（−）のデータ電圧を出力する。即ち、データ駆動部５１０は、第Ｎ、第Ｎ＋１、第Ｎ＋２、及び第Ｎ＋３フレームＦＮ、ＦＮ＋１、ＦＮ＋２、ＦＮ＋３の間で第１補償データを正極性の第１データ電圧＋ＤＶ１に変換して出力し、第Ｎ＋４、第Ｎ＋５、第Ｎ＋６、及び第Ｎ＋７フレームＦＮ＋４、ＦＮ＋５、ＦＮ＋６、ＦＮ＋７の間で第１補償データを負極性の第１データ電圧−ＤＶに変換して出力する。
【００４６】
図６及び図７は、３次元映像モードの際の図２に示した画素部の動作を説明するための波形図である。
【００４７】
図１、図２及び図６を参照すると、データ配線ＤＬには、４フレームの間、左眼用第１データ電圧、左眼用第１ブラックデータ電圧、右眼用第２データ電圧、及び右眼用第２ブラックデータ電圧が受信される。これに対応して、反転信号は８フレーム周期を有する。従って、左眼用第１データ電圧は、次の次のフレームの右眼用第２データ電圧と同一の極性を有し、右眼用第２データ電圧は、次の次のフレームの左眼用第１データ電圧に対して反転した極性を有する。即ち、左眼用第１データ電圧は、前の前のフレームの右眼用第２データ電圧に対して反転した極性を有し、右眼用第２データ電圧は、前の前のフレームの左眼用第１データ電圧と同一の極性を有する。
【００４８】
例えば、第ＮフレームＦＮで、データ配線ＤＬには正極性の左眼用第１データ電圧＋ＤＶ１が印加される。第ｎゲート配線ＧＬｎに第ｎゲート信号Ｇｎが印加されると、第１液晶キャパシタＣＬＣ１の第１サブ電極ＳＥ１及び第２液晶キャパシタＣＬＣ２の第２サブ電極ＳＥ２に左眼用第１データ電圧＋ＤＶ１が印加される。正極性の第１データ電圧＋ＤＶ１は、第１ルックアップテーブル４１３によって補償された第１補償データに対応する電圧であり、基準電圧Ｖｃｏｍに対して第１電位差ＶＰ１を有する。第ｎ＋１ゲート信号が印加される前まで、ダウンキャパシタＣｄは、第Ｎ−１フレームＦＮ−１でシェアリングされた電荷量に対応する負極性の分割電圧−ＳＶＮ−１を維持する。分割電圧−ＳＶＮ−１は、第Ｎ−１フレームの左眼用ブラックデータ電圧と第Ｎ−２フレームの負極性の右眼用データ電圧に基づいた負極性（−）を有する。
【００４９】
次に、第ｎ＋１ゲート信号Ｇｎ＋１が印加されると、第２液晶キャパシタＣＬＣ２に印加された正極性の第１データ電圧＋ＤＶ１は、ダウンキャパシタＣｄによって、一部分シェアリングされる。ダウンキャパシタＣｄは、第２電極Ｅ２に第Ｎ−１フレームＦＮ−１の分割電圧−ＳＶＮ−１が維持された状態で、第１電極Ｅ１に正極性の第１データ電圧＋ＤＶ１が印加されると、正極性の第１データ電圧＋ＤＶ１と分割電圧−ＳＶＮ−１の電圧差に対応して一定の電荷量を充電する。これよって、第２液晶キャパシタＣＬＣ２には、正極性の第１データ電圧＋ＤＶ１からダウンキャパシタＣｄによってシェアリングされた電圧を除いた第１分割電圧＋ＳＶＮが印加される。第１分割電圧＋ＳＶＮは、基準電圧Ｖｃｏｍに対して第１電位差ＶＰ１より小さい第２電位差ＶＰ２を有する。
【００５０】
結果的に、第１液晶キャパシタＣＬＣ１の第１サブ電極ＳＥ１に正極性の第１データ電圧＋ＤＶ１が印加され、第２液晶キャパシタＣＬＣ２の第２サブ電極ＳＥ２に第１分割電圧＋ＳＶＮが印加される。これにより、第１サブ領域ＳＰ１の透過率は第２サブ領域ＳＰ２の透過率より高い。
【００５１】
図１、図２及び図７を参照すると、第Ｎ＋２フレームＦＮ＋２で、データ配線ＤＬには正極性の右眼用第２データ電圧＋ＤＶ２が印加される。第ｎゲート配線ＧＬｎに第ｎゲート信号Ｇｎが印加されると、第１液晶キャパシタＣＬＣ１の第１サブ電極ＳＥ１及び第２液晶キャパシタＣＬＣ２の第２サブ電極ＳＥ２に第２データ電圧＋ＤＶ２が印加される。正極性の第２データ電圧＋ＤＶ２は、第２ルックアップテーブル４１５によって補償された第２補償データに対応する電圧であり、基準電圧Ｖｃｏｍに対して第３電位差ＶＰ３を有する。第ｎ＋１ゲート信号が印加される前まで、ダウンキャパシタＣｄは、第Ｎ＋１フレームＦＮ＋１でシェアリングされた電荷量に対応する正極性の分割電圧＋ＳＶＮ＋１を維持する。分割電圧＋ＳＶＮ＋１は、第Ｎ＋１フレームの左眼用ブラックデータ電圧と第Ｎフレームの正極性の左眼用データ電圧に基づいた正極性（＋）を有する。
【００５２】
次に、第ｎ＋１ゲート信号が印加されると、第２液晶キャパシタＣＬＣ２に印加された正極性の第２データ電圧＋ＤＶ２は、ダウンキャパシタＣｄによって一部分シェアリングされる。ダウンキャパシタＣｄは、第２電極Ｅ２に第Ｎ＋１フレームＦＮ＋１の分割電圧＋ＳＶＮ＋１が維持された状態で、第１電極Ｅ１に正極性の第２データ電圧＋ＤＶ２が印加されると、正極性の第２データ電圧＋ＤＶ２と正極性の分割電圧＋ＳＶＮ＋１の電圧差に対応して一定の電荷量を充電する。これにより、第２液晶キャパシタＣＬＣ２には、正極性の第２データ電圧＋ＤＶ２からダウンキャパシタＣｄによってシェアリングされた電圧を除いた第２分割電圧＋ＳＶＮ＋２が印加される。第２分割電圧＋ＳＶＮ＋２は、基準電圧Ｖｃｏｍに対して第３電位差ＶＰ３より小さい第４電位差ＶＰ４を有する。
【００５３】
結果的に、第１液晶キャパシタＣＬＣ１の第１サブ電極ＳＥ１に正極性の第２データ電圧＋ＤＶ２が印加され、第２液晶キャパシタＣＬＣ２の第２サブ電極ＳＥ２に第２分割電圧（＋ＳＶＮ＋２）が印加される。これにより、第１サブ領域ＳＰ１の透過率は第２サブ領域ＳＰ２の透過率より高い。
【００５４】
図１、図６及び図７を参照すると、第ＮフレームＦＮの間で、画素部Ｐに該当する画素データは、第１ルックアップテーブル４１３を通じて第１補償データで補償され、第１補償データは、第１データ電圧に変換されて第１液晶キャパシタＣＬＣ１に提供され、第１データ電圧＋ＤＶ１は、ダウンキャパシタＣｄによって第１分割電圧＋ＳＶＮに分割されて第２液晶キャパシタＣＬＣ２に提供される。これにより、第１液晶キャパシタＣＬＣ１の両端の電極は、第１電位差ＶＰ１を有し、第２液晶キャパシタＣＬＣ２の両端の電極は、第１電位差ＶＰ１より小さい第２電位差ＶＰ２を有する。第１液晶キャパシタＣＬＣ１が形成された画素部Ｐの第１サブ領域ＳＰ１は第１透過率を有し、第２液晶キャパシタＣＬＣ２が形成された画素部Ｐの第２サブ領域ＳＰ２は第１透過率より低い第２透過率を有し、画素部Ｐは第１平均透過率を有する。
【００５５】
一方、第Ｎ＋２フレームＦＮ＋２の間で、画素部Ｐに該当する画素データは、第２ルックアップテーブル４１５を通じて第２補償データで補償され、第２補償データは、第２データ電圧＋ＤＶ２に変換されて第１液晶キャパシタＣＬＣ１に提供され、第２データ電圧＋ＤＶ２は、ダウンキャパシタＣｄによって第２分割電圧（＋ＳＶＮ＋２）に分割されて第２液晶キャパシタＣＬＣ２に提供される。これにより、第１液晶キャパシタＣＬＣ１の両端の電極は、第１電位差ＶＰ１より小さい第３電位差ＶＰ３を有し、第２液晶キャパシタＣＬＣ２の両端の電極は、第３電位差ＶＰ３より小さく第２電位差ＶＰ２より大きい第４電位差ＶＰ４を有する。第１液晶キャパシタＣＬＣ１が形成された画素部Ｐの第１サブ領域ＳＰ１は、第１透過率より低い第３透過率を有し、第２液晶キャパシタＣＬＣ２が形成された画素部Ｐの第２サブ領域ＳＰ２は、第３透過率より低く第２透過率より高い第４透過率を有し、画素部Ｐは第１平均透過率と同一な第２平均透過率を有する。
【００５６】
本実施形態によると、電圧極性が次の次のフレームと同一な第１フレームと、電圧極性が次の次のフレームに対して反転した第２フレームのそれぞれに対して、異なるルックアップテーブルを適用することによって、フレーム間の輝度偏差を除去することができる。
【００５７】
図８は、本発明の他の実施形態によるデータ補償部のブロック図である。
【００５８】
図１及び図８を参照すると、本実施形態による表示装置は、図１に示した表示装置と比較すると、データ補償部を除いた残りの構成要素は実質的に同一である。以下では、同一の構成要素について重複する説明は省略する。
【００５９】
データ補償部４２０は、メモリ４２１、ルックアップテーブル４２３、及び演算部４２５を含む。メモリ４２１はデータを保存する。ルックアップテーブル４２３には、現在のフレームで受信したデータと前のフレームのデータにマッピングされた第１補償データが保存される。演算部４２５は、第１補償データを用いて、受信したデータに対する第２補償データを生成する。第２補償データは、上述した実施形態の通り、３次元映像モードの際の左眼映像と右眼映像との輝度差を改善するための補償データである。
【００６０】
本実施形態によると、現在のフレームの電圧極性が次の次のフレームに対して同一な場合と、現在のフレームの電圧極性が次の次のフレームに対して反転した場合のうちの一つに対する第１補償データが保存されたルックアップテーブルと、第１補償データを用いて設定された演算アルゴリズムを通じて他の一つに対する第２補償データを生成する演算部を適用することによって、フレーム間の輝度偏差を除去することができる。第２補償データは、同一の階調データに対して、第１補償データによる画素部Ｐの透過率と同一な透過率を有するように設定される。
【００６１】
図９は、本発明の他の実施形態による表示装置のブロック図である。以下では、図１に示した表示装置と同一の構成要素に対して同一の図面符号を付与し、重複する説明は簡略にする。
【００６２】
図９を参照すると、表示装置は、表示パネル１００、映像処理部２００、タイミング制御部３１０、データ補償部４３０、パネル駆動部５００、及びシャッタメガネ６００を含む。
【００６３】
表示パネル１００は、図２で説明した通り、複数の画素部を定義する複数の画素領域を含む。図２を参照すると、各画素部Ｐは、第１スイッチング素子ＴＲ１、第１液晶キャパシタＣＬＣ１及び第１ストレージキャパシタＣＳＴ１、第２スイッチング素子ＴＲ２、第２液晶キャパシタＣＬＣ２及び第２ストレージキャパシタＣＳＴ２、第３スイッチング素子ＴＲ３及びダウンキャパシタＣｄを含む。画素部Ｐの画素領域は、第１液晶キャパシタが形成される領域に対応した第１サブ領域ＳＰ１と、第２液晶キャパシタが形成される領域に対応した第２サブ領域ＳＰ２からなる。第１液晶キャパシタＣＬＣ１にはデータ電圧が印加され、第２液晶キャパシタＣＬＣ２にはデータ電圧より低い分割電圧が印加される。従って、画素部Ｐの第１サブ領域ＳＰ１は相対的に高輝度で駆動され、第２サブ領域ＳＰ２は相対的に低輝度で駆動される。
【００６４】
映像処理部２００は、受信したデータを用いて複数のデータフレームを生成する。例えば、２４０Ｈｚの３次元映像モードの場合、映像処理部２００は、左眼用データフレーム及び右眼用データフレームを生成し、左眼用及び右眼用データフレームのそれぞれを反復して出力する。２４０Ｈｚの２次元映像モードの場合、映像処理部２００は、現在の受信したデータフレームを反復して第１及び第２データフレームを生成し、補間データフレームを反復して第１及び第２補間データフレームを生成する。
【００６５】
タイミング制御部３１０は、映像処理部２００から提供された複数のデータフレームをデータ補償部４３０に提供する。３次元映像モードの場合、タイミング制御部３１０は、左眼用データフレームと右眼用データフレームとの間に左眼用ブラックデータフレームを挿入し、右眼用データフレームと左眼用フレームデータとの間に右眼用ブラックデータフレームを挿入する。２次元映像モードの場合、タイミング制御部３１０は、映像処理部２００で生成された複数のデータフレームをデータ補償部４３０にそのまま提供する。
【００６６】
また、タイミング制御部３１０は、パネル駆動部５００に反転信号ＲＥＶを提供する。反転信号ＲＥＶは、データ配線に出力されるデータ電圧の極性を、設定されたフレーム単位で基準電圧Ｖｃｏｍに対して反転させる。
【００６７】
反転信号ＲＥＶは、３次元映像モードで左眼映像と右眼映像との輝度差を改善するための周期を有する。反転信号ＲＥＶは、前の前のフレームに対して反転した極性のデータ電圧を有するフレームの個数及び前の前のフレームと同一の極性のデータ電圧を有するフレームの個数を、左眼用フレームと右眼用フレームに対して共に同一にする。例えば、表示パネルが（６０Ｈｚ×Ｉ）（Ｉは４以上の自然数）フレーム周波数で駆動される場合、反転信号ＲＥＶは、最初のＩフレームの間でローレベル、次のＩフレームの間でハイレベル、次の２フレームの間でローレベル、次のＩフレームの間でハイレベル、次のＩフレームの間でローレベル、そして次の２フレームの間でハイレベルを有する信号とし、一周期が［（４×Ｉ）＋４］フレームである。
【００６８】
反転信号ＲＥＶは、２次元映像モードで同一に適用されたり、２次元映像モードでは、図５を参照して説明した実施形態と同一に適用されたりする。反転信号ＲＥＶによる詳細な説明は後述する。
【００６９】
データ補償部４３０は、メモリ４３１及びルックアップテーブル４３３を含む。メモリ４３１はデータを保存する。ルックアップテーブル４３３には、現在のフレームで受信したデータと前のフレームのデータにマッピングされた補償データが保存される。データ補償部４３０は、受信したデータとメモリ４３１に保存されたデータを用いて、ルックアップテーブル４３３に保存された補償データを、受信したデータの補償データとして出力する。
【００７０】
パネル駆動部５００は、データ駆動部５１０及びゲート駆動部５３０を含む。データ駆動部５１０は、タイミング制御部３１０から提供された反転信号ＲＥＶに基づいて、データ補償部４３０に提供された補償データに対応して基準電圧Ｖｃｏｍに対して正極性のデータ電圧又は負極性のデータ電圧を生成する。
【００７１】
シャッタメガネ６００は、３次元映像モードの際に用いられる。シャッタメガネ６００は、表示パネル１００に左眼映像が表示される区間に開いて、右眼映像が表示される区間に閉じられる左眼液晶シャッタと、表示パネル１００に右眼映像が表示される区間に開いて、左眼映像が表示される区間に閉じられる右眼液晶シャッタを含む。シャッタメガネ６００は、一般的に６０Ｈｚで駆動される。
【００７２】
図１０及び図１１は、図９の表示装置でデータ電圧の極性変化による画素部の動作を説明するための波形図である。
【００７３】
図１０は、画素部Ｐに現在のフレームで印加されるデータ電圧の極性が、前のフレームで印加されたデータ電圧の極性に対して反転した場合である。ここで、現在のフレームでデータ配線ＤＬに印加されたデータ電圧は正極性（＋）の電圧であり、前のフレームでデータ配線ＤＬに印加されたデータ電圧の極性は負極性（−）である。
【００７４】
図１０を参照すると、画素部Ｐは、データ配線ＤＬに正極性のデータ電圧＋ＤＶが印加される。第ｎゲート配線ＧＬｎに第ｎゲート信号Ｇｎが印加されると、第１液晶キャパシタＣＬＣ１の第１サブ電極ＳＥ１及び第２液晶キャパシタＣＬＣ２の第２サブ電極ＳＥ２にデータ電圧＋ＤＶが印加される。第ｎ＋１ゲート信号が印加される前まで、ダウンキャパシタＣｄは、前のフレームでシェアリングされた電荷量に対応する分割電圧−ＳＶを維持する。分割電圧−ＳＶは、負極性を有する前のフレームのデータ電圧に依る負極性を有する。
【００７５】
次に、第ｎ＋１ゲート信号Ｇｎ＋１が印加されると、ダウンキャパシタＣｄの第１電極Ｅ１に正極性のデータ電圧＋ＤＶが印加される。ダウンキャパシタＣｄは、第２電極Ｅ２に負極性の分割電圧−ＳＶが維持された状態で、第１電極Ｅ１に正極性のデータ電圧＋ＤＶが印加されるので、正極性のデータ電圧＋ＤＶと負極性の分割電圧−ＳＶの電圧差に対応して一定の電荷量を充電する。ダウンキャパシタＣｄによってシェアリングされる電荷量は、正極性のデータ電圧＋ＤＶと負極性の分割電圧−ＳＶの電圧差に比例して決定される。結果的に、第２液晶キャパシタＣＬＣ２の両端の電極間の電位差ＶＰ１が小さくされて、画素部Ｐの第２サブ領域ＳＰ２の透過率が相対的に小さくなり輝度が減少する。
【００７６】
図１１は、画素部Ｐに現在のフレームで印加されるデータ電圧の極性が、前のフレームで印加されたデータ電圧の極性と同一な場合である。ここで、現在のフレームでデータ配線ＤＬに印加されたデータ電圧は正極性（＋）の電圧であり、前のフレームでデータ配線ＤＬに印加されたデータ電圧の極性も正極性（＋）である。
【００７７】
図１１を参照すると、画素部Ｐは、データ配線ＤＬに正極性のデータ電圧＋ＤＶが印加される。第ｎゲート配線ＧＬｎに第ｎゲート信号Ｇｎが印加されると、第１液晶キャパシタＣＬＣ１の第１サブ電極ＳＥ１及び第２液晶キャパシタＣＬＣ２の第２サブ電極ＳＥ２にデータ電圧＋ＤＶが印加される。第ｎ＋１ゲート信号が印加される前まで、ダウンキャパシタＣｄは、前のフレームでシェアリングされた電荷量に対応する分割電圧＋ＳＶを維持する。分割電圧＋ＳＶは、正極性を有する前のフレームのデータ電圧に依る正極性を有する。
【００７８】
次に、第ｎ＋１ゲート信号Ｇｎ＋１が印加されると、ダウンキャパシタＣｄの第１電極Ｅ１に正極性のデータ電圧＋ＤＶが印加される。ダウンキャパシタＣｄは、第２電極Ｅ２に正極性の分割電圧＋ＳＶが維持された状態で、第１電極Ｅ１に正極性のデータ電圧＋ＤＶが印加されるので、正極性のデータ電圧＋ＤＶと正極性の分割電圧＋ＳＶの電圧差に対応して一定の電荷量を充電する。ダウンキャパシタＣｄによってシェアリングされる電荷量は、正極性のデータ電圧＋ＤＶと正極性の分割電圧＋ＳＶの電圧差に比例して決定される。結果的に、第２液晶キャパシタＣＬＣ２の両端の電極間の電位差ＶＰ２＞ＶＰ１が大きくなり、画素部Ｐの第２サブ領域ＳＰ２の透過率が相対的に高くなり輝度が増加する。
【００７９】
図１０及び図１１を比較すると、現在のフレームで印加されるデータ電圧の極性が前のフレームで印加されたデータ電圧の極性に対して反転した場合には、画素部Ｐの第２サブ領域ＳＰ２が相対的に暗く、現在のフレームで印加されるデータ電圧の極性が前のフレームで印加されたデータ電圧の極性と同一な場合には、画素部Ｐの第２サブ領域ＳＰ２が相対的に明るくなる。
【００８０】
このような特性によって、３次元映像モードで画素部Ｐに左眼映像と右眼映像が表示される場合、データ電圧の極性変化によって、同一な階調に対して左眼映像と右眼映像とが異なる輝度で表示される。
【００８１】
以下では、本実施形態によるデータ電圧の極性変化による左眼映像と右眼映像との輝度偏差を除去するためのフレーム反転方式を、図１２を参照して説明する。
【００８２】
図１２は、図９の表示装置による３次元映像モードの際の入出力信号のタイミング図である。
【００８３】
図９及び図１２を参照すると、３次元映像モードで、映像処理部２００は、左眼用データフレームＬ、左眼用ブラックデータフレームＢ、右眼用データフレームＲ、及び右眼用ブラックデータフレームＢを順次に反復して出力する。
【００８４】
データ補償部４３０は、ルックアップテーブル４３３を用いて、タイミング制御部３１０から受信したデータに対して補償データを生成して出力する。
【００８５】
データ駆動部５１０は、データ補償部４３０から提供された補償データをアナログ形態のデータ電圧に変換し、タイミング制御部３１０から提供された反転信号ＲＥＶに応答して基準電圧Ｖｃｏｍに対して負極性及び正極性のデータ電圧を出力する。
【００８６】
例えば、２４０Ｈｚフレーム周波数を有する表示パネル１００と６０Ｈｚの駆動周波数を有するシャッタメガネ６００を有する表示装置では、反転信号ＲＥＶは、最初の４フレームＦＮ−４、ＦＮ−３、ＦＮ−２、ＦＮ−１の間でローレベルＬＶ、次の４フレームＦＮ、ＦＮ＋１、ＦＮ＋２、ＦＮ＋３の間でハイレベルＨＶ、次の２フレームＦＮ＋４、ＦＮ＋５の間でローレベルＬＶ、次の４フレームＦＮ＋６、ＦＮ＋７、ＦＮ＋８、ＦＮ＋９の間でハイレベルＨＶ、次の４フレームＦＮ＋１０、ＦＮ＋１１、ＦＮ＋１２、ＦＮ＋１３の間でローレベルＬＶ、そして次の２フレームＦＮ＋１４、ＦＮ＋１５の間でハイレベルＨＶを有する一周期が２０フレームの信号である。即ち、反転信号ＲＥＶの周期は１６Ｋ（Ｋは自然数）＋４フレームである。
【００８７】
このような方式で、４８０Ｈｚフレーム周波数を有する表示パネル１００と６０Ｈｚの駆動周波数を有するシャッタメガネ６００を有する表示装置では、反転信号ＲＥＶの周期は３２Ｋ＋４フレームであってもよい。即ち、４８０Ｈｚフレーム周波数を有する表示装置の場合、四つの左眼用データフレームＬ、Ｌ、Ｌ、Ｂ及び四つの右眼用データフレームＲ、Ｒ、Ｒ、Ｂを含むので、八つのフレーム単位で極性が転換される。反転信号ＲＥＶは、最初の８フレームの間でローレベルＬＶ、次の８フレームの間でハイレベルＨＶ、次の２フレームの間でローレベルＬＶ、次の８フレームの間でハイレベルＨＶ、次の８フレームの間でローレベルＬＶ、そして次の２フレームの間でハイレベルＨＶを有する一周期が３６フレームの信号である。これによって、反転信号ＲＥＶの一周期は８×４＋４フレームである。
【００８８】
反転信号ＲＥＶによって、データ配線ＤＬに出力されるデータ電圧は、第Ｎ−４フレームＦＮ−４の左眼用Ｌデータ電圧が負極性−ＤＶを有し、第Ｎ−２フレームＦＮ−２の右眼用Ｒデータ電圧が負極性−ＤＶを有し、第ＮフレームＦＮの左眼用Ｌデータ電圧が正極性＋ＤＶを有し、第Ｎ＋２フレームＦＮ＋２の右眼用Ｒデータ電圧が負極性−ＤＶを有し、第Ｎ＋４フレームＦＮ＋４の左眼用Ｌデータ電圧が負極性−ＤＶを有し、第Ｎ＋６フレームＦＮ＋６の右眼用Ｒデータ電圧が正極性＋ＤＶを有し、第ｎ＋８フレームＦＮ＋８の左眼用Ｌデータ電圧が正極性＋ＤＶを有し、第Ｎ＋１０フレームＦＮ＋１０の右眼用Ｒデータ電圧が負極性−ＤＶを有し、第ｎ＋１２フレームＦＮ＋１２の左眼用Ｌデータ電圧が負極性−ＤＶを有し、第Ｎ＋１４フレームＦＮ＋１４の右眼用Ｒデータ電圧が正極性＋ＤＶを有する。
【００８９】
左眼用データ電圧を調べると、前の前のフレームに対して反転した極性の電圧が印加されるフレームは、第Ｎ−４、第Ｎ、及び第Ｎ＋４フレームＦＮ−４、ＦＮ、ＦＮ＋４であり、前の前のフレームと同一な極性の電圧が印加されるフレームは、第Ｎ＋８及び第Ｎ＋１２フレームＦＮ＋８、ＦＮ＋１２である。
【００９０】
右眼用データ電圧を調べると、前の前のフレームに対して反転した極性の電圧が印加されるフレームは、第Ｎ＋６、第Ｎ＋１０、及び第Ｎ＋１４フレームＦＮ＋６、ＦＮ＋１０、ＦＮ＋１４であり、前の前のフレームと同一な極性の電圧が印加されるフレームは、第Ｎ−２及び第Ｎ＋２フレームＦＮ−２、ＦＮ＋２である。
【００９１】
反転信号ＲＥＶの一周期の間、左眼用データ電圧は、前の前のフレームに対して反転した極性の電圧が印加されるフレームは３つであり、前の前のフレームと同一な極性のデータが印加されるフレームは二つであり、右眼用データ電圧は、前の前のフレームに対して反転した極性の電圧が印加されるフレームは３つであり、前の前のフレームと同一な極性のデータが印加されるフレームは二つである。このように、データ電圧の極性反転に対する条件は、左眼用フレーム及び右眼用フレームで実質的に同一である。
【００９２】
これにより、図１０及び図１１で説明した通り、フレーム間データ電圧の極性反転によって、ダウンキャパシタＣｄによりシェアリングされた電圧の差による第２サブ領域ＳＰ２の輝度差が左眼映像と右眼映像で均一に発生する。結果的に、観察者は左眼映像と右眼映像との輝度差を是認できないので、表示品質を向上させることができる。
【００９３】
以上、図面を参照しながら本発明の実施形態について詳細に説明したが、本発明は上述の実施形態に限定されるものではなく、本発明の技術的範囲から逸脱しない範囲内で多様に変更実施することが可能である。
【符号の説明】
【００９４】
１００    表示パネル
２００    映像処理部
３００、３１０    タイミング制御部
４１０、４２０、４３０    データ補償部
４１１、４２１、４３１    メモリ
４１３    第１ルックアップデーブル
４１５    第２ルックアップデーブル
４２３、４３３    ルックアップデーブル
４２５    演算部
５００    パネル駆動部
５１０    データ駆動部
５３０    ゲート駆動部
６００    シャッタメガネ
【図１】
0005995429.tif 000002
【図２】
0005995429.tif 000003
【図３】
0005995429.tif 000004
【図４】
0005995429.tif 000005
【図５】
0005995429.tif 000006
【図６】
0005995429.tif 000007
【図７】
0005995429.tif 000008
【図８】
0005995429.tif 000009
【図９】
0005995429.tif 000010
【図１０】
0005995429.tif 000011
【図１１】
0005995429.tif 000012
【図１２】
0005995429.tif 000013